(57)【要約】【課題】ユーザによって設定された輝度レベルに対応した輝度で発光する面光源装置、及び、その面光源装置を用いた液晶表示装置を提供することを目的とする。【解決手段】冷陰極管２２と、冷陰極管２２の前面側に配置された光学シート２４及び背面側に配置された光学シート２６と、冷陰極管２２、光学シート２４、及び光学シート２６を支持するバックフレーム２８と、冷陰極管２２を駆動する駆動部３０と、を備え、駆動部３０は、冷陰極管２２の輝度を制御するパルス幅変調電圧信号のデューティ比を検出するデューティ検出部３４と、デューティ検出部３４で検出されたデューティ比に対応してデューティ比を変換するためのテーブルを有するデューティ変換部３６と、を備えた面光源装置。【選択図】      図３
2006190619.tif 000002
【特許請求の範囲】
【請求項１】
光源と、
前記光源を駆動する駆動手段と、を備え、
前記駆動手段は、
前記光源の輝度を制御するパルス幅変調電圧信号のデューティ比を検出する検出手段と、
前記検出手段で検出されたデューティ比に対応する輝度で前記光源を発光させるように前記パルス幅変調電圧信号のデューティ比を変換する変換手段と、を備えた面光源装置。
【請求項２】
前記変換手段は、検出されたデューティ比に対して、対応する輝度で前記光源を発光させるためのデューティ比のテーブルを有し、このテーブルを用いて前記パルス幅変調電圧信号のデューティ比を変換する請求項１に記載の面光源装置。
【請求項３】
前記光源の近傍に配置され、前記光源の近傍の温度を検知する温度検知手段と、をさらに備え、
前記変換手段は、複数の温度に対応した前記テーブルを有し、前記テーブルのうち前記温度検知手段で検知された温度に対応したテーブルを用いて前記パルス幅変調電圧信号のデューティ比を変換する請求項２に記載の面光源装置。
【請求項４】
前記駆動手段は、入力された輝度レベルに対応するアナログ電圧信号から前記パルス幅変調電圧信号を発生する信号発生手段をさらに備えた請求項１に記載の面光源装置。
【請求項５】
複数の画素が配列された表示領域を備える液晶表示パネルと、
前記液晶表示パネルを背面から照明する面光源装置と、
を備え、
前記面光源装置は、光源と、
前記光源を駆動する駆動手段と、を備え、
前記駆動手段は、
前記光源の輝度を制御するパルス幅変調電圧信号のデューティ比を検出する検出手段と、
前記検出手段で検出されたデューティ比に対応する輝度で前記光源を発光させるように前記パルス幅変調電圧信号のデューティ比を変換する変換手段と、を備えた液晶表示装置。
【発明の詳細な説明】
【技術分野】
【０００１】
本発明は、面光源装置及び液晶表示装置に関し、特に、光源に供給するパルス幅変調電圧のデューティ比を変化させて光源の輝度を制御する面光源装置、及び、その面光源装置を備えた液晶表示装置に関する。
【背景技術】
【０００２】
最近は、各種電化製品の表示装置として液晶表示装置が多く用いられている。一般に液晶表示装置は、表示領域を備える液晶表示パネルと、液晶表示パネルを背面から照明する面光源装置とを備えている。
【０００３】
液晶表示パネルは、対向配置されたアレイ基板と対向基板と、アレイ基板と対向基板との間に保持された液晶層とを備えている。液晶表示パネルの表示領域は、マトリクス状に配列された表示画素によって構成されている。面光源装置は、光源としての冷陰極管と、冷陰極管の前面側及び背面側に配置された光学シートと、冷陰極管と光学シートとを支持するバックフレームと、冷陰極管を駆動する駆動部とを有している。
【０００４】
上記の面光源装置において、その発光輝度を制御する際には、冷陰極管に供給する電圧信号に対してパルス幅変調（ＰＷＭ）を行う方法がある。パルス幅変調された電圧（すなわちＰＷＭ電圧信号）はそのデューティ比に応じて冷陰極管２２の輝度を変えることが可能となる。しかし、冷陰極管はその周囲の温度によって発光効率が変化するため、所望する輝度に対応したデューティを有するようにパルス幅変調電圧を設定したとしても所望する輝度が得られない場合があった。
【０００５】
このような課題に対して、冷陰極管の周囲の温度変化に対応してパルス幅変調電圧信号のデューティ比を変化させて光源の輝度を制御する方法が提案されている。（特許文献１参照）
【特許文献１】特開平９−１８５０３６号公報
【発明の開示】
【発明が解決しようとする課題】
【０００６】
しかしながら、冷陰極管の周囲が所定温度の場合、冷陰極管に供給されるパルス幅変調電圧信号に対して冷陰極管の発光輝度は必ずしも線形の関係とはならない。例えば、冷陰極管に１００％のデューティ比を有するパルス幅変調電圧信号を供給した際の面光源装置の相対輝度を１００％としたとき、冷陰極管に５０％のデューティ比を有するパルス幅変調電圧信号を供給したとしても面光源装置の相対輝度が５０％になるとは限らない。
【０００７】
このように、面光源装置の輝度が、冷陰極管に供給されたパルス幅変調電圧信号の変化に対して必ずしも均等に変化しないため、ユーザによって設定された輝度レベルに対応するパルス幅変調電圧信号を冷陰極管にそのまま供給しても、所望の輝度を得る事が難しい。
【０００８】
本発明は、上記の問題点に鑑みて成されたものであって、ユーザによって設定された輝度レベルに対応した輝度で発光する面光源装置、及び、その面光源装置を用いた液晶表示装置を提供することを目的とする。
【課題を解決するための手段】
【０００９】
本発明の第１様態による面光源装置は、光源と、前記光源を駆動する駆動手段と、を備え、前記駆動手段は、前記光源の輝度を制御するパルス幅変調電圧信号のデューティ比を検出する検出手段と、前記検出手段で検出されたデューティ比に対応する輝度で前記光源を発光させるように前記パルス幅変調電圧信号のデューティ比を変換する変換手段と、を備える。
【００１０】
本発明の第２様態による液晶表示装置は、複数の画素が配列された表示領域を備える液晶表示パネルと、前記液晶表示パネルを背面から照明する面光源装置と、を備え、前記面光源装置は、光源と、前記光源を駆動する駆動手段と、を備え、前記駆動手段は、前記光源の輝度を制御するパルス幅変調電圧信号のデューティ比を検出する検出手段と、前記検出手段で検出されたデューティ比に対応する輝度で前記光源を発光させるように前記パルス幅変調電圧信号のデューティ比を変換する変換手段と、を備える。
【発明の効果】
【００１１】
本発明によれば、ユーザによって設定された輝度レベルに対応した輝度で発光する面光源装置、及び、その面光源装置を用いた液晶表示装置を提供することができる。
【発明を実施するための最良の形態】
【００１２】
以下、この発明の一実施形態に係る液晶表示装置について図面を参照して説明する。
【００１３】
図１に示すように、液晶表示装置は、液晶表示パネル１０と、液晶表示パネル１０を背面から照明する面光源装置２０と、液晶表示パネル１０の前面側に取り付けられた前面カバー４０とを備えている。
【００１４】
液晶表示パネル１０は、対向配置された一対の基板すなわちアレイ基板１２及び対向基板１４と、アレイ基板１２と対向基板１４との間に保持された液晶層ＬＱと、を備えている。アレイ基板１２と対向基板１４との外側にはそれぞれ偏光板が配置されている。
【００１５】
液晶表示パネル１０は、画像を表示する略矩形状の表示領域１１を有している。表示領域１１は、マトリクス状に配置された複数の画素ＰＸによって構成されている。アレイ基板１２は、表示領域１１において、画素ＰＸの行方向に沿って延在する複数の走査線ＳＬ、画素ＰＸの列方向に沿って延在する複数の信号線ＤＬ、及びこれら走査線ＳＬと信号線ＤＬとの交差部付近において画素ＰＸ毎に配置されたスイッチング素子ＳＷ、スイッチング素子ＳＷに接続された画素電極ＰＥ等を備えている。対向基板１４は、表示領域１１において、全画素ＰＸに共通の対向電極ＣＥなどを備えている。これらアレイ基板１２及び対向基板１４は、画素電極ＰＥと対向電極ＣＥとを対向させた状態で配設され、これらの間にギャップを形成する。液晶層ＬＱは、アレイ基板１２と対向基板１４とのギャップに封止された液晶組成物によって形成されている。
【００１６】
回路基板１８は、フレキシブル基板１６を介して、液晶表示パネル１０の一側縁に電気的に接続され、液晶表示パネル１０に駆動信号を供給する。回路基板１８は、面光源装置２０の背面側に向けてフレキシブル基板１６を湾曲させることにより、面光源装置２０の背面側に配置される。
【００１７】
面光源装置２０は、照明光を出射する略矩形状の出射領域２０Ａを有している。この面光源装置２０は、出射領域２０Ａと液晶表示パネル１０の表示領域１１とが対応するように液晶表示パネル１０の背面に重ねられる。
【００１８】
面光源装置２０は、図２に示すように光源としての複数の冷陰極管２２と、これら複数の冷陰極管２２を駆動する駆動手段としての駆動部３０とを有している。また、面光源装置２０は、複数の光学シート２４及び２６と、フレーム部としてのバックフレーム２８及びフロントフレーム２９と、を有している。
【００１９】
複数の冷陰極管２２は、例えば直管型であり、それらの軸方向が互いに略平行となるように配置されている。駆動部３０は、各冷陰極管２２と電気的に接続され、バックフレーム２８の背面側に配置されている。複数の光学シート２４は、冷陰極管２２の前面側に配置されている。これら光学シート２４は、冷陰極管２２から出射された出射光を拡散する拡散板や拡散シート、拡散した拡散光を集光するプリズムシート、偏光分離シートなどである。光学シート２６は、冷陰極管２２の背面側に配置されている。この光学シート２６は、冷陰極管２２から背面側に出射された出射光を前面側に反射する反射シートである。
【００２０】
バックフレーム２８は、ほぼ矩形状に形成され、冷陰極管２２、光学シート２４、及び、光学シート２６を収容する。バックフレーム２８には、光学シート２４上からフロントフレーム２９が取り付けられ、光学シート２４、冷陰極管２２、及び光学シート２６を保持する。
【００２１】
次に、駆動部３０の構成について説明する。図３に示すように、駆動部３０は、ＰＷＭ電圧発生部３２と、デューティ検出部３４と、デューティ変換部３６と、出力回路３８と、を有している。ＰＷＭ電圧発生部３２は、外部回路５０に接続されている。なお、外部回路５０とは、例えば、ＴＶセットやパーソナルコンピュータのインターフェイスからの入力を液晶表示装置に出力する回路である。この外部回路５０は、ＰＷＭ電圧発生部３２に、ユーザが設定した輝度レベルに対応したアナログの電圧信号を出力する。ＰＷＭ電圧発生部３２は、外部回路５０から入力されたアナログの電圧信号を、パルス幅変調し、ディジタルの第１パルス幅変調電圧信号（以下、第１ＰＷＭ電圧信号と称する）に変換する。ここで発生した第１ＰＷＭ電圧信号は、ユーザによって設定された輝度レベルに基づいたデューティ比（以下、第１デューティ比と称する）を有している。例えば、１００％のデューティ比を有するＰＷＭ電圧信号を冷陰極管２２に供給したときの冷陰極管２２の相対輝度を１００％としたとき、ＰＷＭ電圧発生部３２は、外部回路５０から５０％の相対輝度で冷陰極管２２を発光させるように設定されたアナログの電圧信号が入力された場合、第１デューティ比が５０％の第１ＰＷＭ電圧信号を発生する。
【００２２】
ＰＷＭ電圧発生部３２は、第１ＰＷＭ電圧信号をデューティ検出部３４に出力する。デューティ検出部３４は、ＰＷＭ電圧発生部３２から出力された第１ＰＷＭ電圧信号の第１デューティ比を検出し、検出した結果をデューティ変換部３６に出力する。デューティ変換部３６は、デューティ検出部３４から入力された検出結果すなわち第１デューティ比に基づき、対応する相対輝度で冷陰極管２２を発光させるように変換された第２ＰＷＭ電圧信号を発生する。すなわち、デューティ変換部３６は、入力された第１デューティ比に基づいてユーザが設定した輝度レベル（つまり冷陰極管２２の相対輝度）を検知し、この検知結果に基づいて変換した第２ＰＷＭ電圧信号を出力する。デューティ変換部３６から出力された第２ＰＷＭ電圧信号は、ユーザが設定した輝度レベルに対応した相対輝度で冷陰極管２２を発光させるよう設定されたデューティ比(以下、第２デューティ比と称する)を有している。例えば、第１デューティ比が５０％の時、デューティ検出部３４から５０％の値がデューティ変換部３６に出力される。デューティ変換部３６では、実際に冷陰極管２２の相対輝度が５０％となるような第２デューティ比の第２ＰＷＭ電圧信号を発生する。
【００２３】
出力回路３８は、デューティ変換部３６から出力された第２ＰＷＭ電圧信号を冷陰極管２２に供給する。冷陰極管２２は、第２ＰＷＭ電圧信号の入力によりユーザが設定した輝度レベルに対応した輝度で発光する。
【００２４】
以下に、デューティ比の変換方法についてより具体的に説明する。
【００２５】
ここで、冷陰極管２２の周囲の温度がＴ１のときに、デューティ比に対する冷陰極管２２の相対輝度が、図４Ａに示すような関係にあるものとする。すなわち、冷陰極管２２に供給されるＰＷＭ電圧信号のデューティ比が１００％のときに冷陰極管２２の相対輝度が１００％であるとしたとき、図４Ａ中の点線で示すように、デューティ比に対して相対輝度が線形に変化することが望ましい。しかしながら、実際には、冷陰極管の温度に対する発光効率が一定ではないため、いずれのデューティ比においても対応する相対輝度が得られるとは限らず、図４Ａ中の実線で示すように、デューティ比に対して相対輝度が非線形に変化する場合がある。
【００２６】
例えば、デューティ比がＤ１％のＰＷＭ電圧信号を冷陰極管２２に供給すると、冷陰極管２２はＤ１％よりも高い相対輝度Ｄ３％で発光する。一方で、冷陰極管２２は、デューティ比がＤ１％より小さなＤ２％のＰＷＭ電圧信号を供給されたときに相対輝度Ｄ１％で発光する。
【００２７】
このように、冷陰極管２２に供給されるＰＷＭ電圧信号のデューティ比が冷陰極管２２の相対輝度と一致しないため、ユーザによって設定された輝度レベルに基づき対応したデューティ比のＰＷＭ電圧信号をそのまま冷陰極管２２に供給したとしても（つまり、ＰＷＭ電圧発生部３２で変換されたディジタルの第１ＰＷＭ電圧信号をそのまま冷陰極管２２に供給したとしても）、そのデューティ比に対応した相対輝度が得られるとは限らない。
【００２８】
このため、デューティ変換部３６において、ＰＷＭ電圧発生部３２で変換された第１ＰＷＭ電圧信号の第１デューティ比を、対応した相対輝度が得られるような第２デューティ比に変換する必要がある。そこで、デューティ変換部３６は、デューティ検出部３４で検出された第１デューティ比に対応する輝度で冷陰極管２２を発光させるように第２ＰＷＭ電圧信号の第２デューティ比を設定する。
【００２９】
例えば、図４Ａに示した例では、デューティ変換部３６では、第１デューティ比がＤ１％である場合、この第１デューティ比に対応する相対輝度Ｄ１％で冷陰極管２２を発光させるように冷陰極管２２に供給する第２ＰＷＭ電圧信号のデューティ比、すなわち第２デューティ比をＤ２％に変換する。ここでは、デューティ比変換の一例について説明したが、デューティ変換部３６では、各輝度レベルに対応したＰＷＭ電圧信号のデューティ比についてそれぞれ対応する相対輝度が得られるように変換する。これにより、種々設定される輝度レベルに対して冷陰極管２２の相対輝度を線形の関係で変化させることが可能となる。
【００３０】
つまり、デューティ変換部３６は、図４Ｂに示すような第１デューティ比−第２デューティ比のテーブルを備えている。デューティ変換部３６は、入力された第１デューティ比に対して、テーブルから導き出された第２デューティ比のＰＷＭ電圧信号、すなわち第２ＰＷＭ電圧信号を出力する。
【００３１】
その結果、デューティ変換部３６は、図５に示すように、例えばデューティ変換部３６に第１デューティ比Ｄ１％の第１ＰＷＭ電圧信号が入力された場合に、テーブルを用いて第1デューティ比Ｄ１％を第２デューティ比Ｄ２％に変換し、第２デューティ比がＤ２％の第２ＰＷＭ電圧信号を発生する。デューティ変換部３６で発生した第２ＰＷＭ電圧信号は、駆動部３０内の出力回路３８に入力され、出力回路３８から冷陰極管２２へ出力されて、冷陰極管２２を駆動する。
【００３２】
上記のように、冷陰極管２２を駆動する駆動部３０が、第１ＰＷＭ電圧信号のデューティ比（第１デューティ比）を検出するデューティ検出部３４と、検出された第１デューティ比に基づいて第２デューティ比の第２ＰＷＭ電圧信号を発生するデューティ変換部３６と有することによって、冷陰極管２２の輝度を線形に変化させることができ、ユーザの設定した輝度レベルに対応した輝度で冷陰極管２２を発光させることが可能となる。
【００３３】
なお、この例で説明した温度Ｔ１は、例えば液晶表示装置が動作しているときに安定した状態の面光源装置において、冷陰極管２２の周囲の温度などに合わせて設定されている。
【００３４】
次に、本発明の第２実施形態について説明する。図６に示すように、冷陰極管２２を駆動する駆動部３０は、図３に示した場合と同様に、ＰＷＭ電圧発生部３２と、デューティ検出部３４と、デューティ変換部３６と、出力回路３８とを有している。この第２実施形態に係る面光源装置２０の駆動部３０は、冷陰極管２２の近傍に配置されるとともに冷陰極管２２の周囲の温度を検知する温度検知手段としての温度センサ２１を備えている。また、この駆動部３０は、温度センサ２１で計測された冷陰極管２２の周囲のアナログの温度信号をデジタルデータに変換するＡ/Ｄ変換部ＡＤＣが、備えられている。デューティ変換部３６は、デューティ検出部３４から入力された第１デューティ比と、冷陰極管２２の周囲の温度とに基づき、第２デューティ比の第２ＰＷＭ電圧信号を発生する。
【００３５】
ここでは、複数の冷陰極管２２の周囲の温度がＴ２、Ｔ３、Ｔ４のときに、第１デューティ比に対する冷陰極管２２の相対輝度が図７Ａに示すような関係にあるものとする。すなわち、相対輝度ＤＢ％のときの冷陰極管２２の輝度を１００％としたとき、図７Ａ中の点線で示すように、いずれの温度の場合であっても、デューティ比に対して相対輝度が線形に変化することが望ましい。しかし、実際は、図７Ａの実線で示すように冷陰極管２２はその周囲の温度によって発光効率が変化するとともに、デューティ比に対する相対輝度が非線形に変化する場合がある。例えば、冷陰極管２２の周囲の温度がＴ２の時には、デューティ比がＤ４％のＰＷＭ電圧信号を冷陰極管２２に供給すると、冷陰極管２２はＤ４％よりも高い輝度Ｄ６％で発光する。一方で、冷陰極管２２は、デューティ比がＤ５％のＰＷＭ電圧信号を供給されたときに相対輝度Ｄ４％で発光する。
【００３６】
このため、デューティ変換部３６は、冷陰極管２２の周囲の温度と、デューティ検出部３４で検出された第１デューティ比とに対応する輝度で冷陰極管２２を発光させるように第２ＰＷＭ電圧信号の第２デューティ比を設定する。
【００３７】
例えば、図７Ａに示した例では、デューティ変換部３６では、冷陰極管２２の周囲の温度がＴ２で、第１デューティ比がＤ４％である場合、この第１デューティ比に対応する相対輝度Ｄ４％で冷陰極管２２を発光させるように冷陰極管２２に供給する第２ＰＷＭ電圧信号のデューティ比すなわち、第２デューティ比をＤ５％に変換する。デューティ変換部３６では、第１ＰＷＭ電圧信号の第１デューティ比についてそれぞれ対応する相対輝度が得られるように変換する。これにより、種々設定される輝度レベルに対して冷陰極管２２の相対輝度を線形の関係で変化させることが可能となる。
【００３８】
つまり、デューティ変換部３６は、図７Ｂに示すような冷陰極管２２の周囲の温度毎に第１デューティ比−第２デューティ比のテーブルを備えている。デューティ変換部３６は、入力された冷陰極管２２の周囲の温度と第１デューティ比とに対して、テーブルから導き出された第２デューティ比のＰＷＭ電圧信号を、第２ＰＷＭ電圧信号として出力する。
【００３９】
その結果、デューティ変換部３６は、図８に示すように、例えばデューティ変換部３６に冷陰極管２２の周囲の温度Ｔ２と、第1デューティ比Ｄ４％の第１ＰＷＭ電圧信号とが入力された場合に、温度Ｔ２に対応したテーブルを用いて第1デューティ比Ｄ４％を第２デューティ比Ｄ５％に変換し、第２デューティ比がＤ５％の第２ＰＷＭ電圧信号を発生する。デューティ変換部３６で発生した第２ＰＷＭ電圧信号は、駆動部３０内の出力回路３８に入力され、出力回路３８から冷陰極管２２へ出力されて、冷陰極管２２を駆動する。
【００４０】
上記のように、冷陰極管２２を駆動する駆動部３０が、デューティ検出部３４によって検出された第１デューティ比と冷陰極管２２の周囲の温度とから、テーブルから導き出された第２デューティ比のＰＷＭ電圧信号を、第２ＰＷＭ電圧信号として発生するデューティ変換部３６とを備えることによって、第１実施形態の効果に加えて、複数の温度環境においても、温度センサによって検知された温度に基づき、その温度の時の冷陰極管２２の発光特性に近いテーブルを用いて、冷陰極管２２に入力される第２ＰＷＭ電圧信号のデューティ比を補正することにより、冷陰極管２２の輝度を線形に変化させることができ、冷陰極管２２をユーザが設定した輝度レベルに対応した輝度で発光させることが可能となる。
【００４１】
なお、この発明は、上記実施形態そのままに限定されるものではなく、実施段階ではその要旨を逸脱しない範囲で構成要素を変形して具体化できる。例えば、上記の２つ実施形態では、ＰＷＭ電圧発生部３２が駆動部３０に備えられていたが、外部回路５０に含まれても良い。その場合は、外部回路５０内でアナログの電圧信号がディジタルのＰＷＭ電圧信号に変換され、駆動部３０にＰＷＭ電圧信号が入力される。
【００４２】
また、面光源装置は、導光体を備え、導光体の周囲に光源が配置されるエッジライトタイプに適用しても良い。これらの場合にも上記の実施形態と同様の効果が得られる。
【００４３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４４】
なお、上記の実施形態でユーザが設定する輝度レベルとは、相対輝度の数値であっても良く、輝度の変化量であっても良い。
【図面の簡単な説明】
【００４５】
【図１】本発明の一実施形態に係る液晶表示装置の分解斜視図。
【図２】図１に示した面光源装置の分解斜視図。
【図３】図１に示した駆動部の第１実施形態に係る構成例を説明するためのブロック図。
【図４Ａ】第１ＰＷＭ電圧信号を冷陰極管に供給したときの第１デューティ比に対する相対輝度の関係例を示す図。
【図４Ｂ】図３に示したデューティ変換部における変換前と変換後とのデューティ比の関係例を示す図。
【図５】図３に示したデューティ変換部の入力信号と出力信号との関係例を説明するための図。
【図６】図１に示した駆動部の第２実施形態に係る構成例を説明するためのブロック図。
【図７Ａ】第１ＰＷＭ電圧信号を冷陰極管に供給したときの第１デューティ比に対する相対輝度の関係例を示す図。
【図７Ｂ】図６に示したデューティ変換部における変換前と変換後とのデューティ比の関係例を示す図。
【図８】図６に示したデューティ変換部の入力信号と出力信号との関係例を説明するための図。
【符号の説明】
【００４６】
１０…液晶表示パネル、ＰＸ…画素、２０…面光源装置、２１…温度センサ、２２…冷陰極管、２４、２６…光学シート、３０…駆動部、３２…ＰＷＭ電圧発生部、３４…デューティ検出部、３６…デューティ変換部、５０…外部回路
【図１】
2006190619.tif 000003
【図２】
2006190619.tif 000004
【図３】
2006190619.tif 000005
【図４Ａ】
2006190619.tif 000006
【図４Ｂ】
2006190619.tif 000007
【図５】
2006190619.tif 000008
【図６】
2006190619.tif 000009
【図７Ａ】
2006190619.tif 000010
【図７Ｂ】
2006190619.tif 000011
【図８】
2006190619.tif 000012